(57)【要約】【課題】  デジタルサイネージ用の表示装置として使い勝手が良く、表示内容を効果的に設定可能な表示装置を提供することを解決すべき課題とする。【解決手段】  電子ペーパー画面に対する位置の指定を受け付ける位置指定手段と、位置に基づいて電子ペーパー画面上における複数の分割領域の設定を受け付ける領域設定手段と、分割領域の選択によって、コンテンツの表示更新を行う領域の指定を受け付ける更新領域設定手段と、電子ペーパー画面の表示更新を行わない領域に表示される第１のコンテンツを登録する第１コンテンツ登録手段と、電子ペーパー画面の表示更新を行う領域に表示する第２のコンテンツを登録する為の第２コンテンツ登録手段を備え、第２コンテンツ登録手段は、表示内容が変化する１のコンテンツ又は表示処理によって所定の条件により逐次的に表示される複数の静止画像を、第２のコンテンツとして登録することを特徴とする。【選択図】図１
2019159155.tif 000002
【特許請求の範囲】
【請求項１】
電子ペーパー画面上におけるコンテンツの表示処理を行う手段を備えた表示装置に、コンテンツの表示処理設定を行う為の表示管理システムであって、
電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、を備え、
前記第２コンテンツ登録手段は、表示内容が変化する１のコンテンツ又は前記表示処理によって所定の条件により逐次的に表示される複数の静止画像を、第２のコンテンツとして登録することを特徴とする表示管理システム。
【請求項２】
前記第２コンテンツ登録手段は、複数の静止画像の登録を受け付ける処理と、前記複数の静止画像の表示順序並びに更新タイミングを設定する処理を行い、第２のコンテンツを登録することを特徴とする請求項１に記載の表示管理システム。
【請求項３】
前記位置は、設定画面において表示された電子ペーパー画面のイメージ表示上における座標点であることを特徴とする請求項１又は請求項２に記載の表示管理システム。
【請求項４】
前記領域設定手段は、前記座標点において直行する２直線によって、前記分割領域を定義することを特徴とする請求項３に記載の表示管理システム。
【請求項５】
前記電子ペーパー画面のイメージ表示上に移動可能に配置され、座標点を指定するためのマーカに対する操作入力を介して、前記位置指定手段は座標点の入力を受け付けることを特徴とする請求項３又は請求項４に記載の表示管理システム。
【請求項６】
前記マーカは、四方の端部が先細り形状となった十字型であって、前記端部は、対向する各端部の２頂点を通る直線が直行するように配置されることを特徴とする請求項５に記載の表示管理システム。
【請求項７】
電子ペーパー画面上におけるコンテンツの表示処理を行う手段を備え、コンテンツの表示処理設定を行う表示装置であって、
電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、を備え、
前記第２コンテンツ登録手段は、表示内容が変化する１のコンテンツ又は前記表示処理によって所定の条件により逐次的に表示される複数の静止画像を、第２のコンテンツとして登録することを特徴とする表示装置。
【請求項８】
電子ペーパー画面上におけるコンテンツの表示処理を行う手段を備えた表示装置におけるコンテンツの表示処理設定を行う為の表示管理プログラムであって、
コンピュータを、電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、として機能させ、
前記第２コンテンツ登録手段は、表示内容が変化する１のコンテンツ又は前記表示処理によって所定の条件により逐次的に表示される複数の静止画像を、第２のコンテンツとして登録することを特徴とする表示管理プログラム。
【発明の詳細な説明】
【技術分野】
【０００１】
本発明は、電子ペーパー画面を備えたデジタルサイネージ用の表示装置、表示管理システムおよび表示管理プログラムに関する。
【背景技術】
【０００２】
従来、電子ペーパー画面を搭載した表示装置が提供されている。電子ペーパー画面を搭載した表示装置は、可読性の高さや低消費電力性などの特徴から、特に電子書籍リーダーや、ウェアラブル端末などにおける画面として採用され、広く普及している。
【０００３】
例えば、電子ペーパー画面上における表示の更新に関する技術として、電子デバイスの電子ペーパー画面上の増分ページ遷移を実装するための技術であって、画素毎または複数の画素ブロックの更新をできるようにする電子ペーパー画面制御器が、増分ページ遷移を可能にする技術が知られている（特許文献１）。
【０００４】
また、利用者がページめくりを行ってから画像が表示されるまでの待ち時間を有効に利用することで、利用者はページめくり時の画像書換えを待つことなく、文書の続きを読むことができる技術が知られている（特許文献２）。
【先行技術文献】
【特許文献】
【０００５】
【特許文献１】特開２０１７−１０５６５号公報
【特許文献２】特開２００８−１９７５５７号公報
【発明の概要】
【発明が解決しようとする課題】
【０００６】
低消費電力性や反射型ディスプレイである特徴を生かし、電子ペーパー画面を搭載した表示装置を店舗や施設などに設置して、デジタルサイネージ用の表示装置として利用することが求められている。
【０００７】
本発明は、上記のような実情に鑑みてなされたものであり、デジタルサイネージ用の表示装置として使い勝手が良く、表示内容を効果的に設定可能な表示装置を提供することを解決すべき課題とする。
【課題を解決するための手段】
【０００８】
上記課題を解決するために、本発明は、電子ペーパー画面上におけるコンテンツの表示処理を行う手段を備えた表示装置に、コンテンツの表示処理設定を行う為の表示管理システムであって、
電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、を備え、
前記第２コンテンツ登録手段は、表示内容が変化する１のコンテンツ又は前記表示処理によって所定の条件により逐次的に表示される複数の静止画像を、第２のコンテンツとして登録することを特徴とする。
【０００９】
このような構成とすることで、部分的に表示更新が行われるコンテンツ表示を、電子ペーパー画面を備えた表示装置に行わせることができ、好適にサイネージ用の表示装置として利用することができる。電子ペーパー画面を備えた表示装置は、画面を更新する際にフラッシングが発生するが、一方で、単一の静止画のみを表示させるのではなく、画像を更新させて情報を提供したい要望がある。本発明により、表示される画面の一部分を指定してコンテンツを変化（部分更新）させることができる為、フラッシングによる見栄えの悪さを抑え、情報を更新可能な形で、好適にサイネージ用の表示装置を提供することができる。
【００１０】
本発明の好ましい形態では、前記第２コンテンツ登録手段は、複数の静止画像の登録を受け付ける処理と、前記複数の静止画像の表示順序並びに更新タイミングを設定する処理を行い、第２のコンテンツを登録することを特徴とする。
【００１１】
本発明の好ましい形態では、前記位置は、設定画面において表示された電子ペーパー画面のイメージ表示上における座標点であることを特徴とする。
【００１２】
本発明の好ましい形態では、前記領域設定手段は、前記座標点において直行する２直線によって、前記分割領域を定義することを特徴とする。
【００１３】
本発明の好ましい形態では、前記電子ペーパー画面のイメージ表示上に移動可能に配置され、座標点を指定するためのマーカに対する操作入力を介して、前記位置指定手段は座標点の入力を受け付けることを特徴とする。
【００１４】
本発明の好ましい形態では、前記マーカは、四方の端部が先細り形状となった十字型であって、前記端部は、対向する各端部の２頂点を通る直線が直行するように配置されることを特徴とする。
【００１５】
本発明は、電子ペーパー画面上におけるコンテンツの表示処理を行う手段を備え、コンテンツの表示処理設定を行う表示装置であって、
電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、を備え、
前記第２コンテンツ登録手段は、表示内容が変化する１のコンテンツ又は前記表示処理によって所定の条件により逐次的に表示される複数の静止画像を、第２のコンテンツとして登録することを特徴とする。
【００１６】
本発明は、電子ペーパー画面上におけるコンテンツの表示処理を行う手段を備えた表示装置におけるコンテンツの表示処理設定を行う為の表示管理プログラムであって、
コンピュータを、電子ペーパー画面に対する位置の指定を受け付ける位置指定手段と、
前記位置に基づいて、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツを登録する為の第２コンテンツ登録手段と、として機能させ、
前記第２コンテンツ登録手段は、表示内容が変化する１のコンテンツ又は前記表示処理によって所定の条件により逐次的に表示される複数の静止画像を、第２のコンテンツとして登録することを特徴とする。
【発明の効果】
【００１７】
本発明によれば、デジタルサイネージ用の表示装置として使い勝手が良く、表示内容を効果的に設定可能な表示装置を提供することができる。
【図面の簡単な説明】
【００１８】
【図１】本発明の実施形態に係る表示管理システムの概要図である。
【図２】本発明の実施形態に係る表示装置およびコンピュータのハードウェア構成図である。
【図３】本発明の実施形態に係る表示管理システムの機能構成を示す機能ブロック図である。
【図４】本発明の実施形態に係るコンテンツ表示の設定画面の画面表示例である。
【図５】本発明の実施形態に係るマーカＭＡの移動を示す図である。
【図６】本発明の実施形態に係る分割領域にコンテンツを登録後、分割領域を設定する場合の例である。
【図７】本発明の実施形態に係る表示装置の画面表示例である。
【図８】本発明の実施形態に係るリストファイルを登録する処理フローチャートである。
【発明を実施するための形態】
【００１９】
以下、図面を用いて、本発明に関する表示管理システムについて説明する。なお、以下に示す実施形態は本発明の一例であり、本発明を以下の実施形態に限定するものではなく、様々な構成を採用することもできる。
【００２０】
本実施形態ではシステムの構成、動作等について説明するが、同様の構成の装置、方法、コンピュータプログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２１】
図１は、本発明の実施形態における表示管理システムの概要図である。表示管理システムは、表示装置１と、表示装置１の表示処理設定を行う為のコンピュータ２と、を備えている。表示装置１及びコンピュータ２は、有線又は無線で接続される。本実施形態では、コンピュータ２を介して表示装置１における表示処理設定を行う場合について説明するが、例えば表示装置１に記憶された表示管理プログラムや、表示装置１とネットワークを介して接続された表示管理サーバによって、表示装置１におけるコンテンツ表示処理設定が行われても構わない。
【００２２】
図２は、本実施形態に係る表示装置１およびコンピュータ２のハードウェア構成を示す図である。図２（ａ）に示すように、表示装置１は、ＣＰＵ（Central Processing Unit）１０１、主記憶装置としてのＲＡＭ（Random Access Memory）１０２、ＲＯＭ（Read Only Memory）１０３、ＨＤＤ（Hard Disk Drive）やＳＳＤ（Solid State Drive）等の補助記憶装置１０４、入力装置１０５としてのタッチパネルやキーボード、マウスなど、出力装置１０６としての電子ペーパー画面、および通信装置１０７、を備えるコンピュータ（情報処理装置）である。また、補助記憶装置１０４は、オペレーティングシステム１０８と、オペレーティングシステム１０８と協調してその機能を発揮する表示プログラム１０９等が記録されている。
【００２３】
図２（ｂ）に示すように、コンピュータ２は、ＣＰＵ（Central Processing Unit）２０１、主記憶装置としてのＲＡＭ（Random Access Memory）２０２、ＲＯＭ（Read Only Memory）２０３、ＨＤＤ（Hard Disk Drive）やＳＳＤ（Solid State Drive）等の補助記憶装置２０４、入力装置２０５としてのタッチパネルやキーボード、マウスなど、出力装置２０６としての電子ペーパー画面、および通信装置２０７、を備えるコンピュータ（情報処理装置）である。また、補助記憶装置２０４は、オペレーティングシステム２０８と、オペレーティングシステム２０８と協調してその機能を発揮する表示管理プログラム２０９等が記録されている。
【００２４】
図３は、本実施形態に係る表示管理システムの機能構成を示す機能ブロック図である。図２（ｂ）に示された構成を有するコンピュータは、補助記憶装置２０４に記録されている表示管理プログラム２０９がＲＡＭ２０２に読み出され、ＣＰＵ２０１によって実行されることで、位置指定手段２１、領域設定手段２２、更新領域設定手段２３、第１コンテンツ登録手段２４、第２コンテンツ登録手段２５およびスケジュール登録手段２６を備えるコンピュータとして機能する。
【００２５】
図２（ａ）に示された構成を有する表示装置１は、補助記憶装置１０４に記録されている表示プログラム１０９がＲＡＭ１０２に読み出され、ＣＰＵ１０１によって実行されることで、コンピュータ２で設定されたコンテンツを出力装置１０６において表示処理する表示処理手段１１を備える表示装置として機能する。なお、補助記憶装置１０４に表示管理プログラムを格納しておき、表示装置１が位置指定手段、領域設定手段、更新領域設定手段、第１コンテンツ登録手段、および第２コンテンツ登録手段の一部又は全部を備える構成として、表示装置１に対する操作入力によって表示処理設定を可能に構成してもよい。
【００２６】
図４は、コンピュータ２における電子ペーパー画面に表示するコンテンツの設定画面の画面表示例である。設定画面Ｗ１は、イメージ表示Ｗ１１、画像登録部Ｗ１２、座標表示部Ｗ１３、決定ボタンＷ１４およびキャンセルボタンＷ１５を備えている。また、入力装置２０５を介して操作されるカーソルＣＵを介して、設定画面でＧＵＩ操作が実行される。
【００２７】
イメージ表示Ｗ１１には、電子ペーパー画面に表示される内容を確認可能に表示する。本実施形態では、画像登録部Ｗ１２を介して第１のコンテンツが選択されると、第１コンテンツ登録手段２４が、第１のコンテンツの登録を受けつける。登録された第１のコンテンツは、イメージ表示Ｗ１１に表示され、電子ペーパー画面における表示イメージをユーザが確認可能となる。ここで、第１のコンテンツとは、電子ペーパー画面において更新されない領域に表示されるコンテンツであり、例えば、静止画像やテキストファイル、文章ファイル、図面ファイル、イラストデータのファイルなどである。
【００２８】
イメージ表示Ｗ１１はマーカＭＡを備えており、ユーザはカーソルＣＵ操作して、マーカＭＡを移動させることができる。マーカＭＡの移動に基づいて、位置指定手段２１は電子ペーパー画面に対する位置の指定を受け付ける。本実施形態では、位置として電子ペーパー画面のイメージ表示Ｗ１１上における座標点が指定される。
【００２９】
本実施形態におけるマーカＭＡは、四方の端部が先細り形状となった十字型であって、前記端部は、対向する各端部の２頂点を通る直線が直行する。
【００３０】
マーカＭＡの移動によって得られる座標（位置）は、座標表示部Ｗ１３に表示される。また、本実施形態では、座標表示部Ｗ１３に座標の値を入力することで、マーカＭＡを移動させることもできる。ユーザが設定した座標（位置）に基づいて、領域設定手段２２は、電子ペーパー画面上における複数の分割領域の設定を受け付ける。領域設定手段２２は、指定した座標点において直行する２直線によって分割領域を設定する。図示例では、分割領域Ａ〜Ｄの４つの領域が、領域設定手段２２によって設定される。
【００３１】
図５は、マーカＭＡの移動を示す図である。図５（ａ）において左図に示すように、座標１（Ｘ、Ｙ）＝（２００、４００）にマーカＭＡが位置している。このマーカＭＡの配置により、電子ペーパー画面上における分割領域Ａ〜Ｄが設定されている。ユーザが位置指定手段２１を介して座標１から座標２（Ｘ、Ｙ）＝（１５０、２５０）にマーカＭＡを移動させると、領域設定手段２２は新たな座標２に基づいて分割領域Ａ´〜Ｄ´が新たに設定される。
【００３２】
なお、本実施形態ではマーカＭＡをイメージ表示Ｗ１１上にひとつ配置し、電子ペーパー画面において４つの分割領域を設定する場合について例示しているが、例えば、図５（ｂ）に示すように２つのマーカＭＡを配置するなど、複数のマーカを配置して、分割領域を設定する構成を採用してもよい。図５（ｂ）では、マーカＭＡを２つ配置することで、領域設定手段２２は、分割領域Ａ〜Ｉの９つの領域を設定する。
【００３３】
更新領域設定手段２３は、１又は複数の分割領域の選択に基づいて、コンテンツの表示更新を行う領域の指定を受け付ける。本実施形態では、ユーザがカーソルＣＵを操作して、イメージ表示Ｗ１１における分割領域Ａ〜Ｄの１又は２を選択すると、選択された分割領域がコンテンツの表示更新（部分更新）を行う領域として設定される。
【００３４】
なお、分割領域の選択においては、１の分割領域を指定してもよいし、複数の分割領域を指定してもよい。また、１の分割領域を指定する場合は、所望の分割領域内を指定して選択可能に構成してもよいし、イメージ表示Ｗ１１の周縁部であって、選択を所望する分割領域の周縁部と一致する辺を指定してその領域を指定してもよい。また、隣り合った２の分割領域を指定する場合は、各領域を指定してもよいし、それぞれの領域が接する縁部を指定して、隣り合った２の領域を一度に指定する構成としてもよい。
【００３５】
ユーザが更新領域設定手段２３を介してコンテンツの表示更新を行う領域を指定した後、決定ボタンＷ１４を押下することで、更新設定画面に移動する。キャンセルボタンＷ１５を押下すると、表示するコンテンツの設定を終了する。
【００３６】
更新設定画面において、ユーザは、第２コンテンツ登録手段２５を介して、更新領域設定手段２３で設定した分割領域に表示させるコンテンツを登録する。本実施形態では、第２コンテンツ登録手段２５は、複数の静止画像の登録を受け付ける処理と、当該複数の静止画像の表示順序を設定する処理及び更新タイミングを設定する処理を行い、第２のコンテンツを登録する。
【００３７】
本実施形態では、静止画像として、ＰＮＧやＢＭＰ、ＪＰＥＧなどの画像ファイルを登録可能に構成している。例えば、静止画像に加えて、又は代えて、テキストファイル、文章ファイル、図面ファイル、イラストデータのファイルなどが設定可能であってもよい。更新タイミングとは、コンテンツごとの表示時間やコンテンツを表示させる曜日など、あるコンテンツを別のコンテンツに表示更新するタイミングに関する情報である。
【００３８】
なお、複数の静止画像に加えて、又は代えて、表示内容が変化するコンテンツを表示可能に構成してもよい。表示内容が変化するコンテンツとは、ＧＩＦ（Graphics Interchange Format）やＭＮＧ（Multiple-image Network Graphics）、ＡＰＮＧ（Animated Portable Network Graphics）などのフォーマットのアニメーション画像や、動画などである。表示内容が変化するコンテンツを登録する場合には、表示更新のタイミングについて必ずしも設定が行われる必要はない。
【００３９】
第１のコンテンツ及び第２のコンテンツが登録され、選択した分割領域のみが表示更新される表示内容は、リストファイルとして表示装置１に保持される。ここで、スケジュール登録手段２６は、複数のリストファイルの表示スケジュールを管理する。表示スケジュールは、例えば、スケジュールＩＤ、曜日又は特定日時の設定、表示させるリストファイルの指定を有する。
【００４０】
なお、リストファイルは、必ずしも分割領域が表示更新される表示形式（部分更新）のみで構成される必要はなく、表示更新されない表示形式及び／又は全体が表示更新される表示形式を含んでいてもよい。
【００４１】
また、第２コンテンツ登録手段２５を介して表示更新を行う分割領域にコンテンツを登録後、位置指定手段２１でマーカＭＡを操作し、領域設定手段２２および更新領域設定手段２３を介して分割領域を修正してもよい。図６は、分割領域にコンテンツを登録後、分割領域を設定する場合の例である。
【００４２】
図７は、表示装置１における画面表示例である。図７は、図５（ａ）における分割領域Ａ´、Ｂ´に静止画像（第１のコンテンツ）を登録し、分割領域Ｃ´、Ｄ´に表示更新される画像（第２のコンテンツ）を登録した場合の画面表示例である。分割領域Ｃ´、Ｄ´に表示された天気予報画像は、所定の時間間隔（例えば１５秒毎など）で交互に表示更新され、現在の天気に関する画像及び週間天気予報に関する画像が繰り返し表示更新される。
【００４３】
図８は、表示装置に表示するコンテンツ（リストファイル）を登録する処理フローチャートである。ステップＳ１において、第１コンテンツ登録手段２４を介して、表示装置１に表示する画像（第１のコンテンツ）の登録を受け付ける。分割領域の指定を受けてコンテンツが表示更新される表示を行う場合（ステップＳ２でＹｅｓ（Ｙ））、ステップＳ３に進む。表示更新を行わない場合（ステップＳ２でＮｏ（Ｎ））、ステップＳ７に進み、コンテンツの表示更新が行われない形式で表示を行う為のリストファイルを登録する。
【００４４】
ステップＳ３において、ユーザは位置指定手段２１を介して分割を行う位置（座標）を指定する。分割位置が指定されると、領域設定手段２２および更新領域設定手段２３を介して分割領域が設定される。分割位置が決定したならば（ステップＳ４でＹｅｓ（Ｙ））、ユーザは、第２コンテンツ登録手段２５を介して、表示更新を行う分割領域を選択する。なお、ここで、全ての分割領域が設定されたならば、すべての領域が表示更新される形式で表示を行う為のリストファイルが登録され、分割領域の一部のみが選択された場合には、選択された分割領域が表示更新される分割更新を行う為のリストファイルが登録される。
【００４５】
ユーザは、ステップＳ５及びＳ６において、分割領域に表示する２以上の画像と、１又は複数の表示時間を登録する。そして、ステップＳ７に進み、リストファイルを登録する。
【符号の説明】
【００４６】
１  表示装置
１１  表示処理手段
１０１  ＣＰＵ
１０２  ＲＡＭ
１０３  ＲＯＭ
１０４  補助記憶装置
１０５  入力装置
１０６  出力装置
１０７  通信装置
１０８  オペレーティングシステム
１０９  表示プログラム
２  コンピュータ
２１  位置指定手段
２２  領域設定手段
２３  更新領域設定手段
２４  第１コンテンツ登録手段
２５  第２コンテンツ登録手段
２６  スケジュール登録手段
２０１  ＣＰＵ
２０２  ＲＡＭ
２０３  ＲＯＭ
２０４  補助記憶装置
２０５  入力装置
２０６  出力装置
２０７  通信装置
２０８  オペレーティングシステム
２０９  表示管理プログラム
Ｗ１  設定画面
Ｗ１１  イメージ表示
Ｗ１２  画像登録部
Ｗ１３  座標表示部
Ｗ１４  決定ボタン
Ｗ１５  キャンセルボタン
ＣＵ  カーソル
ＭＡ  マーカ
Ａ〜Ｉ、Ａ´〜Ｄ´  分割領域
【図１】
2019159155.tif 000003
【図２】
2019159155.tif 000004
【図３】
2019159155.tif 000005
【図４】
2019159155.tif 000006
【図５】
2019159155.tif 000007
【図６】
2019159155.tif 000008
【図７】
2019159155.tif 000009
【図８】
2019159155.tif 000010
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
電子ペーパー画面上におけるコンテンツの表示処理を行う手段を備えた表示装置に、コンテンツの表示処理設定を行う為の表示管理システムであって、
設定画面において表示された電子ペーパー画面のイメージ表示上でのマーカ操作により、電子ペーパー画面に対する座標点の指定を受け付ける位置指定手段と、
前記座標点において直行する２直線によって、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手段と、を備え、
更新領域設定手段により選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理システム。
【請求項２】
前記第２コンテンツ登録手段は、複数の静止画像の登録を受け付ける処理と、前記複数の静止画像の表示順序並びに更新タイミングを設定する処理を行い、第２のコンテンツを登録することを特徴とする請求項１に記載の表示管理システム。
【請求項３】
前記設定画面において、前記電子ペーパー画面のイメージ表示と共に、座標表示部によって、前記マーカ操作により指定された座標を表示することを特徴とする請求項１又は請求項２に記載の表示管理システム。
【請求項４】
前記マーカは、四方の端部が先細り形状となった十字型であって、前記端部は、対向する各端部の２頂点を通る直線が直行するように配置されることを特徴とする請求項１〜３の何れかに記載の表示管理システム。
【請求項５】
電子ペーパー画面上におけるコンテンツの表示処理を行う手段を備えた表示装置におけるコンテンツの表示処理設定を行う為の表示管理方法であって、
コンピュータが、設定画面において表示された電子ペーパー画面のイメージ表示上でのマーカ操作により、電子ペーパー画面に対する座標点の指定を受け付ける位置指定手順と、
前記座標点において直行する２直線によって、電子ペーパー画面上における複数の分割領域の設定を受け付ける領域設定手順と、
１又は複数の前記分割領域の選択によって、コンテンツの表示更新を行う領域の指定を受け付ける更新領域設定手順と、
前記電子ペーパー画面の表示更新を行わない領域に表示される第１のコンテンツを登録する第１コンテンツ登録手順と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手順と、を実行し、
更新領域設定手順で選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理方法。
【請求項６】
電子ペーパー画面上におけるコンテンツの表示処理を行う手段を備えた表示装置におけるコンテンツの表示処理設定を行う為の表示管理プログラムであって、
コンピュータを、設定画面において表示された電子ペーパー画面のイメージ表示上でのマーカ操作により、電子ペーパー画面に対する座標点の指定を受け付ける位置指定手段と、
前記座標点において直行する２直線によって、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手段と、として機能させ、
更新領域設定手段により選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理プログラム。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
電子ペーパー画面上におけるコンテンツの表示処理を行う手段を備えた表示装置に、コンテンツの表示処理設定を行う為の表示管理システムであって、
設定画面において表示された電子ペーパー画面のイメージ表示上でのマーカ操作により、電子ペーパー画面に対する座標点の指定を受け付ける位置指定手段と、
前記座標点において直交する２直線によって、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手段と、を備え、
更新領域設定手段により選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理システム。
【請求項２】
前記第２コンテンツ登録手段は、複数の静止画像の登録を受け付ける処理と、前記複数の静止画像の表示順序並びに更新タイミングを設定する処理を行い、第２のコンテンツを登録することを特徴とする請求項１に記載の表示管理システム。
【請求項３】
前記設定画面において、前記電子ペーパー画面のイメージ表示と共に、座標表示部によって、前記マーカ操作により指定された座標を表示することを特徴とする請求項１又は請求項２に記載の表示管理システム。
【請求項４】
前記マーカは、四方の端部が先細り形状となった十字型であって、前記端部は、対向する各端部の２頂点を通る直線が直交するように配置されることを特徴とする請求項１〜３の何れかに記載の表示管理システム。
【請求項５】
電子ペーパー画面上におけるコンテンツの表示処理を行う手段を備えた表示装置におけるコンテンツの表示処理設定を行う為の表示管理方法であって、
コンピュータが、設定画面において表示された電子ペーパー画面のイメージ表示上でのマーカ操作により、電子ペーパー画面に対する座標点の指定を受け付ける位置指定手順と、
前記座標点において直交する２直線によって、電子ペーパー画面上における複数の分割領域の設定を受け付ける領域設定手順と、
１又は複数の前記分割領域の選択によって、コンテンツの表示更新を行う領域の指定を受け付ける更新領域設定手順と、
前記電子ペーパー画面の表示更新を行わない領域に表示される第１のコンテンツを登録する第１コンテンツ登録手順と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手順と、を実行し、
更新領域設定手順で選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理方法。
【請求項６】
電子ペーパー画面上におけるコンテンツの表示処理を行う手段を備えた表示装置におけるコンテンツの表示処理設定を行う為の表示管理プログラムであって、
コンピュータを、設定画面において表示された電子ペーパー画面のイメージ表示上でのマーカ操作により、電子ペーパー画面に対する座標点の指定を受け付ける位置指定手段と、
前記座標点において直交する２直線によって、電子ペーパー画面上における複数の分割領域の設定を受け付ける領域設定手段と、
１又は複数の前記分割領域の選択によって、コンテンツの表示更新を行う領域の指定を受け付ける更新領域設定手段と、
前記電子ペーパー画面の表示更新を行わない領域に表示される第１のコンテンツを登録する第１コンテンツ登録手段と、
前記電子ペーパー画面の表示更新を行う領域に表示する第２のコンテンツとして、表示内容が変化するコンテンツ又は前記表示処理によって所定の条件により逐次的に表示される一組の静止画像を登録する為の第２コンテンツ登録手段と、として機能させ、
更新領域設定手段により選択された１の領域を、前記表示更新を行う領域として設定し、前記１の領域に対して１の前記第２コンテンツを登録可能であるとともに、選択された隣り合った複数の領域を、表示更新を行う領域として設定し、前記隣り合った複数の領域に対して１の前記第２コンテンツを登録可能であり、
前記表示更新を行う領域に前記第２コンテンツを登録後、前記マーカ操作により、前記電子ペーパー画面に対する更なる座標点の指定が可能であることを特徴とする表示管理プログラム。
【手続補正２】
【補正対象書類名】明細書
【補正対象項目名】００１２
【補正方法】変更
【補正の内容】
【００１２】
本発明の好ましい形態では、前記領域設定手段は、前記座標点において直交する２直線によって、前記分割領域を定義することを特徴とする。
【手続補正３】
【補正対象書類名】明細書
【補正対象項目名】００１４
【補正方法】変更
【補正の内容】
【００１４】
本発明の好ましい形態では、前記マーカは、四方の端部が先細り形状となった十字型であって、前記端部は、対向する各端部の２頂点を通る直線が直交するように配置されることを特徴とする。
【手続補正４】
【補正対象書類名】明細書
【補正対象項目名】００２９
【補正方法】変更
【補正の内容】
【００２９】
本実施形態におけるマーカＭＡは、四方の端部が先細り形状となった十字型であって、前記端部は、対向する各端部の２頂点を通る直線が直交する。
【手続補正５】
【補正対象書類名】明細書
【補正対象項目名】００３０
【補正方法】変更
【補正の内容】
【００３０】
マーカＭＡの移動によって得られる座標（位置）は、座標表示部Ｗ１３に表示される。また、本実施形態では、座標表示部Ｗ１３に座標の値を入力することで、マーカＭＡを移動させることもできる。ユーザが設定した座標（位置）に基づいて、領域設定手段２２は、電子ペーパー画面上における複数の分割領域の設定を受け付ける。領域設定手段２２は、指定した座標点において直交する２直線によって分割領域を設定する。図示例では、分割領域Ａ〜Ｄの４つの領域が、領域設定手段２２によって設定される。